(57)【要約】      （修正有）【課題】通信コンテンツにおいて消費者の購買意欲に高いインパクトを与える商品情報やサービス情報を提供できる情報提供装置を提供する。【解決手段】情報提供装置１１のメタデータ抽出・検索部１１５は、メタデータ生成会社サーバから取得しデータベース１２０に蓄積される拡張メタデータを形成する所定の情報とマーチャントサイト情報記憶部１２３のマーチャントサイト情報とを照合し、照合の結果、特定のブログのジャンル、トピック等に適合する商品・サービス情報のアフィリエイトタグを生成する。アフィリエイトＵＲＬを含む番組情報は、アフィリエイトＵＲＬ発行部１１６のリンク情報に基づいて特定のマーチャントサイトにリンクさせて所定のブログ上に表示させる。【選択図】図２
2009080606.tif 000002
【特許請求の範囲】
【請求項１】
放送コンテンツをテキストデータ化し、商品、サービス等の情報、又は、前記放送コンテンツに関連する前記商品、前記サービス等の情報としての商品・サービス情報が蓄積されたデータベースと、
通信コンテンツに含まれる、該通信コンテンツのカテゴリー、キーワード等、前記通信コンテンツに含まれる情報のジャンル、トピック等を特定するジャンル等特定情報を取得し該取得された前記ジャンル等特定情報と前記商品・サービス情報とを照合する情報照合手段と、
前記照合の結果、前記ジャンル、トピック等に適合する前記商品・サービス情報を前記データベースから取得して該取得した前記商品・サービス情報を前記通信コンテンツの一部として通信端末に表示可能に出力させる情報出力手段とを備えたことを特徴とする情報提供装置。
【請求項２】
前記データベースに蓄積される前記商品・サービス情報は、前記放送コンテンツをテキストデータ化したメタデータ、又は該メタデータに前記商品、前記サービス等に関する特定の情報を付加して形成された拡張メタデータであることを特徴とする請求項１に記載の情報提供装置。
【請求項３】
前記情報出力手段によって出力される前記商品・サービス情報は、前記商品又は前記サービスの購入サイトとしてのマーチャントサイトに直接リンクされたことを特徴とする請求項１又は２に記載の情報提供装置。
【請求項４】
前記商品・サービス情報の生成状態、又はネットワーク配信された前記商品・サービス情報の受信状態を監視する監視手段を備え、
前記情報照合手段は、前記監視手段において前記商品・サービス情報の生成又は受信が確認された際に前記照合を行うことを特徴とする請求項１乃至３の何れか一つに記載の情報提供装置。
【請求項５】
前記情報照合手段の作動時間を監視するタイマを備え、
前記情報照合手段は、前記タイマにおいて所定時間が経過したことが確認されたときに前記照合を行うことを特徴とする請求項１乃至４の何れか一つに記載の情報提供装置。
【請求項６】
前記通信コンテンツはＷｅｂサイト又はブログであって、前記商品・サービス情報は前記Ｗｅｂサイト上又は前記ブログ上に設置されるコンテンツであることを特徴とする請求項１乃至５の何れか一つに記載の情報提供装置。
【請求項７】
コンピュータを請求項１乃至６の情報提供装置として機能させることを特徴とするプログラム。
【発明の詳細な説明】
【技術分野】
【０００１】
本発明は、通信端末に商品情報、サービス情報等を提供する技術に関する。
【背景技術】
【０００２】
インターネット等の通信インフラが整備され、パーソナルコンピュータ、携帯電話等の通信端末が普及するに伴い、通信によって公衆が閲覧可能なコンテンツ（以下単に「通信コンテンツ」と称する。本明細書において同じ。）が、Ｗｅｂサイトやブログ等の形で提供されることが多くなっている。そして、商品情報やサービス情報を通信によって提供されることも多くなり、このような商品情報やサービス情報の提供にアフィリエイトが用いられることも多い。従来、このアフィリエイトを用いた商品情報やサービス情報の提供技術として、Ｗｅｂサイトやブログ等から企業サイトへリンクを張り、Ｗｅｂサイトやブログ等の閲覧者がそのリンクを経由して当該企業のサイトで会員登録したり商品を購入したりすると、リンク元サイトの主催者に報酬が支払われるものが知られている（例えば、特許文献１参照）。
【特許文献１】特開２００７−２１９８６０号公報
【発明の開示】
【発明が解決しようとする課題】
【０００３】
しかし、上記特許文献１に記載の発明においては、単にＷｅｂサイトやブログの一部に商品情報やサービス情報が表示されるだけであり、Ｗｅｂサイトやブログの内容と商品、サービスの内容に差異が生じることや、商品情報やサービス情報自体が消費者の購買意欲に対して与えるインパクトが低い場合も多く、商品やサービスの売上の向上に繋がりにくいという問題がある。
【０００４】
一方、地上波テレビ等、放送局から提供される各種番組やコマーシャル等の放送コンテンツ（以下単に「放送コンテンツ」と称する。本明細書において同じ。）を通じて提供される商品情報、サービス情報は他の情報に比べて消費者に対する影響力が大きく、商品やサービスの売れ行きに多大な影響を与えることが知られている。そのため、Ｗｅｂサイトやブログにおいて、放送コンテンツに関連する商品、サービス等の情報としての商品・サービス情報（以下単に「商品・サービス情報」と称する。）を活用することで商品やサービスの売上の向上に繋げてゆくことが考えられる。
【０００５】
本発明は上記の問題に鑑みてなされたものであり、通信コンテンツにおいて消費者の購買意欲に高いインパクトを与えることができる商品情報やサービス情報を提供し、商品やサービスの売上の向上に繋げることができる情報提供装置を提供することを課題としている。
【課題を解決するための手段】
【０００６】
かかる課題を達成するために、請求項１に記載の発明は、放送コンテンツをテキストデータ化し、商品、サービス等の情報、又は、前記放送コンテンツに関連する前記商品、前記サービス等の情報としての商品・サービス情報が蓄積されたデータベースと、通信コンテンツに含まれる、該通信コンテンツのカテゴリー、キーワード等、前記通信コンテンツに含まれる情報のジャンル、トピック等を特定するジャンル等特定情報を取得し該取得された前記ジャンル等特定情報と前記商品・サービス情報とを照合する情報照合手段と、前記照合の結果、前記ジャンル、トピック等に適合する前記商品・サービス情報を前記データベースから取得して該取得した前記商品・サービス情報を前記通信コンテンツの一部として通信端末に表示可能に出力させる情報出力手段とを備えたことを特徴とする。
【０００７】
請求項２に記載の発明は、請求項１に記載の構成に加え、前記データベースに蓄積される前記商品・サービス情報は、前記放送コンテンツをテキストデータ化したメタデータ、又は該メタデータに前記商品、前記サービス等に関する特定の情報を付加して形成された拡張メタデータであることを特徴とする。
【０００８】
請求項３に記載の発明は、請求項１又は２に記載の構成に加え、前記情報出力手段によって出力される前記商品・サービス情報は、前記商品又は前記サービスの購入サイトとしてのマーチャントサイトに直接リンクされたことを特徴とする。
【０００９】
請求項４に記載の発明は、請求項１乃至３の何れか一つに記載の構成に加え、前記商品・サービス情報の生成状態、又はネットワーク配信された前記商品・サービス情報の受信状態を監視する監視手段を備え、前記情報照合手段は、前記監視手段において前記商品・サービス情報の生成又は受信が確認された際に前記照合を行うことを特徴とする。
【００１０】
請求項５に記載の発明は、請求項１乃至４の何れか一つに記載の構成に加え、前記情報照合手段の作動時間を監視するタイマを備え、前記情報照合手段は、前記タイマにおいて所定時間が経過したことが確認されたときに前記照合を行うことを特徴とする。
【００１１】
請求項６に記載の発明は、請求項１乃至５の何れか一つに記載の構成に加え、前記通信コンテンツはＷｅｂサイト又はブログであって、前記商品・サービス情報は前記Ｗｅｂサイト上又は前記ブログ上に設置されるコンテンツであることを特徴とする。
【００１２】
請求項７に記載の発明は、プログラムであって、コンピュータを請求項１乃至６の情報提供装置として機能させることを特徴とする。
【発明の効果】
【００１３】
請求項１に記載の発明によれば、データベースに蓄積された商品・サービス情報を情報出力手段から出力させることにより、消費者に対する影響力が大きく、商品やサービスの売れ行きに多大な影響を与える、放送コンテンツに基づく商品情報やサービス情報、あるいは放送コンテンツに関連する商品情報やサービス情報を通信コンテンツとして出力し、通信端末に表示させることができる。また、情報照合手段において、通信コンテンツに含まれる、通信コンテンツのカテゴリー、キーワード等、通信コンテンツに含まれる情報のジャンル、トピック等を特定するジャンル等特定情報を取得し取得されたジャンル等特定情報と商品・サービス情報とを照合する情報照合手段と、情報出力手段において、照合の結果、ジャンル、トピック等に適合する商品・サービス情報を通信コンテンツとして出力させることにより、通信コンテンツのジャンルやトピックに適合するジャンルやトピックの商品・サービス情報を通信コンテンツの一部として出力し、通信端末に表示させることができる。これにより、通信コンテンツにおいて消費者の購買意欲に高いインパクトを与えることができる商品情報やサービス情報を提供し、商品やサービスの売上の向上に繋げることができる。
【００１４】
請求項２に記載の発明によれば、データベースに蓄積される商品・サービス情報は、放送コンテンツをテキストデータ化したメタデータ、又はメタデータに商品、サービス等に関する特定の情報を付加して形成された拡張メタデータであることにより、商品情報やサービス情報を、放送コンテンツのテキストデータであるメタデータに基づいて取得し、通信コンテンツの一部として出力させることができる。これにより、通信コンテンツにおいて消費者の購買意欲に高いインパクトを与えることができる商品情報やサービス情報を放送と同時あるいは放送後短時間のうちに簡易に取得し、商品・サービス情報として活用できる。
【００１５】
請求項３に記載の発明によれば、情報出力手段によって出力される商品・サービス情報は、商品又はサービスの購入サイトとしてのマーチャントサイトに直接リンクされたことにより、通信端末の利用者は商品情報やサービス情報を提供する業者のサイトのフロントページ等を介することなく、ワンクリックでマーチャントサイトにアクセスして所望の商品やサービスを購入できる。これにより、通信端末からサービスの提供を受ける消費者の利便性を高めることで、結果的に商品やサービスの売上を一層向上させることができる。
【００１６】
請求項４に記載の発明によれば、商品・サービス情報の生成状態、又はネットワーク配信された商品・サービス情報の受信状態を監視する監視手段を備え、情報照合手段は、監視手段において商品・サービス情報の生成又は受信が確認された際に前記照合を行うことにより、新たに生成され又はネットワーク配信された商品・サービス情報を速やかに通信コンテンツとして出力させることが可能になる。これにより、通信コンテンツにおいて消費者の購買意欲に高いインパクトを与えることができる商品情報やサービス情報を、放送コンテンツが生成・放映された後速やかに通信コンテンツとして提供することができる。
【００１７】
請求項５に記載の発明によれば、情報照合手段の作動時間を監視するタイマを備え、情報照合手段は、タイマにおいて所定時間が経過したことが確認されたときに照合を行うことにより、ある程度まとまった件数の通信コンテンツを定期的に更新することや、時間毎のネットワークの混雑状況等を加味した通信コンテンツの更新が可能になる。これにより、通信量の増大を抑止しつつ特定時間帯に通信負荷が過大化することを回避し、良好な通信状態を保つことができる。
【００１８】
請求項６に記載の発明によれば、通信コンテンツはＷｅｂサイト又はブログであって、商品・サービス情報はＷｅｂサイト上又はブログ上に設置されるコンテンツであることにより、サーバ等の通信環境を持たない通信端末の利用者が発信する通信コンテンツにおいて本発明を適用できる。これにより、個人レベルの通信端末の利用者が発信する多数の通信コンテンツにおいて消費者の購買意欲に高いインパクトを与えることができる商品情報やサービス情報を提供することができる。
【００１９】
請求項７に記載の発明によれば、本発明の情報提供装置をプログラム化し、多様なコンピュータハードウェア上で実現させることができる。
【発明を実施するための最良の形態】
【００２０】
以下、この発明の一の実施形態について図面を参照して説明する。
【００２１】
図１は、本実施形態の情報提供システムのシステム構成図である。同図に示すとおり、情報提供システム１Ａは、情報提供装置１と、Ｎ個（Ｎ≧１）の「通信端末」としての会員クライアント端末２１〜２ｎと、Ｍ個（Ｍ≧１）の「通信端末」としての購入者クライアント端末３１〜３ｍと、メタデータ生成会社サーバ４とを備えており、情報提供装置１と会員クライアント端末２１〜２ｎと、購入者クライアント端末３１〜３ｍとメタデータ生成会社サーバ４とはＷＡＮ（Wide Area Network）としてのインターネット５を介して相互に交信可能である。
【００２２】
情報提供装置１は、個人や企業によって作成されたＷｅｂサイトやブログを管理する企業等が所有又は管理するサーバコンピュータであり、Ｗｅｂサイト又はブログを通信端末に提供するＷｅｂサーバ機能や、Ｗｅｂサイト又はブログのデータ等を蓄積する大容量のデータベース機能を備えている。会員クライアント端末２１，・・・，２ｎは、情報提供装置１から提供されるＷｅｂサイトやブログの作成者である個人や企業が所持し使用する、データ通信機能を有する通信端末である。購入者クライアント端末３１〜３ｍは情報提供装置１から提供されるＷｅｂサイトやブログにアクセスしうる個人や企業が所持し使用する、データ通信機能を有する通信端末である。会員クライアント端末２１，・・・，２ｎや購入者クライアント端末３１〜３ｍはパーソナルコンピュータ、ＰＤＡ（携帯情報端末）、携帯電話端末等がこれに該当し、それぞれ、マウスやキーボード等各種指示を入力するために用いられる操作部２１１，・・・，２１ｎ，３１１，・・・，３１ｍ、ＬＣＤ（Liquid Crystal Display）等からなり操作部２１１，・・・，２１ｎ，３１１，・・・，３１ｍから入力された各種指示等や各種画像を表示する表示部２２１，・・・，２２ｎ，３２１，・・・，３２ｍを有している。メタデータ生成会社サーバ４は、放送コンテンツをテキスト化し、コンテンツの内容（番組名、放送局、放送内容、時間毎のイベント（特定コーナーの開始時間や特定出演者の登場時間、スポーツ放送における得点のタイミング等）等）をテキストデータとして記録したメタデータ（以下単に「メタデータ」と称する。）や、又は、メタデータに商品、サービス等に関する特定の情報を付加して形成された拡張メタデータ（以下単に「拡張メタデータ」と称する。）を生成し、このメタデータや拡張メタデータを、インターネット５を介して利用者に配信するメタデータ生成会社（以下単に「メタデータ生成会社」と称する。）が所持し管理するサーバである。なお、本実施形態において、メタデータ、拡張メタデータの何れもメタデータ生成会社が生成したデータであるが、メタデータはメタデータ生成会社が不特定の利用者に提供するデータであり、拡張メタデータはメタデータ生成会社が特定の利用者の要求に基づいて生成したデータをメタデータに付加して生成したデータを指す。また、メタデータ、拡張メタデータの内容詳細については後述する。
【００２３】
なお、会員クライアント端末２１，・・・，２ｎ、購入者クライアント端末３１〜３ｍ、操作部２１１，・・・，２１ｎ，３１１，・・・，３１ｍ、表示部２２１，・・・，２２ｎ，３２１，・・・，３２ｍは同じ構成を持つので、以下、区別する必要がある場合を除き、会員クライアント端末２、購入者クライアント端末３、操作部２１、操作部３１、表示部２２、表示部３２とする。
【００２４】
図１には図示しないが、情報提供装置１は少なくとも１のＣＰＵ（Central Processing Unit、中央処理装置）、及び、ＣＰＵの作業領域として機能するＲＡＭ（Random Access Memory）、起動用ブートプログラム等が記録されたＲＯＭ（Read Only Memory）、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されており、これらのプログラムやデータはＣＰＵの演算処理により、ハードウェア資源と協働して各種機能を実現する。
【００２５】
図２は、本実施形態の情報提供装置１の機能ブロック図である。同図に示す通り、情報提供装置１は、上述した各種プログラムとハードウェア資源とに基づいて実現される機能手段として、会員登録部１１１、会員売上管理部１１２、「情報出力手段」としてのアフィリエイトタグ発行部１１３、マーチャント売上管理部１１４、「情報照合手段」としてのメタデータ抽出・検索部１１５、「情報出力手段」としてのアフィリエイトＵＲＬ発行部１１６及びリンクＵＲＬ検索部１１７、入出力部１１８、「監視手段」及び「タイマ」としての監視部１１９が設けられている。
【００２６】
また、図２に示す通り、情報提供装置１においては、各種プログラムとハードウェア資源とに基づいてデータベース１２０としての機能が実現される。データベース１２０の機能としては、メタデータ記憶部１２１、マーチャント登録情報記憶部１２２、マーチャントサイト情報記憶部１２３、マーチャント売上情報記憶部１２４、契約者情報記憶部１２５、契約者サイト情報記憶部１２６、成果報酬払い出し情報記憶部１２７、会員ポイント情報記憶部１２８、配信情報記憶部１２９が設けられる。図３Ａ，図３Ｂは本実施形態の情報提供装置１において、データベース１２０に蓄積されたデータのデータ構造を示した図である。データベース１２０の各記憶部１２１〜１２９には、同図にデータ項目を示すデータが蓄積されている。
【００２７】
会員登録部１１１は、会員クライアント端末２を利用する会員、即ち自身が作成したＷｅｂサイトやブログを情報提供装置１からインターネット５上に公開する個人や企業としての会員（以下単に「会員」と称する。）の会員登録と登録情報の管理とを行う。会員売上管理部１１２は、Ｗｅｂサイトやブログに表示された商品・サービス情報による商品やサービスの販売実績を個々のＷｅｂサイトやブログの作成者である会員の売上情報として記録し情報の管理を行う。アフィリエイトタグ発行部１１３は、個々のＷｅｂサイトやブログに商品・サービス情報を表示する際の表示タグであるアフィリエイトタグ（以下単に「アフィリエイトタグ」と称する。）を発行し、商品・サービス情報を通信コンテンツの一部として購入者クライアント端末３等の通信端末に表示可能に出力させる。
【００２８】
マーチャント売上管理部１１４は、商品又はサービスの購入サイトとしてのマーチャントサイト（以下単に「マーチャントサイト」と称する。）ごとの商品やサービスの販売実績を記録し販売実績情報を管理する。メタデータ抽出・検索部１１５は、通信コンテンツのカテゴリー、キーワード等、通信コンテンツに含まれる情報のジャンル、トピック等を特定するジャンル等特定情報（以下単に「ジャンル等特定情報」と称する。）を取得し、取得されたジャンル等特定情報と商品・サービス情報とを照合する。アフィリエイトＵＲＬ発行部１１６は、アフィリエイトタグ内のＵＲＬを発行し、商品・サービス情報を通信コンテンツの一部として購入者クライアント端末３等の通信端末に表示可能に出力させる。リンクＵＲＬ検索部１１７は、アフィリエイトＵＲＬ発行のベースとなるマーチャントサイトのＵＲＬを検索し、会員情報パラメータと結合させることによりアフィリエイトＵＲＬを生成し、商品・サービス情報を通信コンテンツの一部として購入者クライアント端末３等の通信端末に表示可能に出力させる。
【００２９】
入出力部１１８は通信インターフェース機能を有し、情報提供装置１とインターネット５に接続された各ノードとの通信に必要な処理を行う。監視部１１９はメタデータ生成会社サーバ４から配信されたメタデータや拡張メタデータの受信状況を監視する機能やタイマ機能を備え、メタデータ生成会社サーバ４からメタデータや拡張メタデータ（本実施形態では拡張メタデータ）を受信した時や予め設定された所定時間毎にメタデータ抽出・検索部１１５を作動させる。
【００３０】
メタデータ記憶部１２１には、図３Ａにデータ項目を示す、メタデータ生成会社サーバ４から送信された拡張メタデータ１２１ａが蓄積される。マーチャント登録情報記憶部１２２には、図３Ａにデータ項目を示す、マーチャントサイトにおいて商品やサービスを提供する業者としてのマーチャント（以下単に「マーチャント」と称する。）を登録制とする際に、登録されたマーチャントの情報であるマーチャント登録情報１２２ａが蓄積される。マーチャントサイト情報記憶部１２３には、図３Ａにデータ項目を示す、会員の作成したＷｅｂサイトやブログにおいてリンクされたマーチャントサイト情報１２３ａが蓄積される。マーチャント売上情報記憶部１２４には、図３Ａにデータ項目を示す、マーチャントサイト毎の販売実績情報としてのマーチャント売上情報１２４ａが蓄積される。
【００３１】
契約者情報記憶部１２５には、図３Ｂにデータ項目を示す、会員登録部１１１において登録された会員の情報としての契約者情報１２５ａが蓄積される。契約者サイト情報記憶部１２６には、図３Ｂにデータ項目を示す、会員の作成したＷｅｂサイトやブログの情報としての契約者サイト情報１２６ａが蓄積される。成果報酬払い出し情報記憶部１２７には、図３Ｂにデータ項目を示す、商品・サービス情報によって商品やサービスの販売に結びついた際に表示元であるＷｅｂサイトやブログの作成者である会員に支払われる成果報酬（以下単に「成果報酬」と称する。）に関する情報としての成果報酬払い出し情報１２７ａが蓄積される。会員ポイント情報記憶部１２８には、図３Ｂにデータ項目を示す、会員に所定の条件に基づいて付与される特典としてのポイントに関する情報としての会員ポイント情報１２８ａが記憶される。配信情報記憶部１２９には、図３Ｂにデータ項目を示す、会員の作成したＷｅｂサイトやブログのソース等の情報、及び、それらＷｅｂサイトやブログにおいて配信される商品・サービス情報である配信情報１２９ａが蓄積される。
【００３２】
図４Ａ，図４Ｂは、本実施形態の情報提供装置１において、メタデータ記憶部１２１に蓄積される拡張メタデータのイメージ図である。同図に示す拡張メタデータ１２１ａは、図４Ａから図４Ｂに渡る各行１２１ａ１，１２１ａ２，・・・１２１ａｋ（Ｋ＞１）が一のデータを形成しており、いずれもテレビの放送コンテンツ（番組）中で紹介されたＤＶＤやビデオ等の商品に関するデータである。同図中、商品カテゴリー列１２１ｂ１、作品名列１２１ｂ２、放送日列１２１ｂ３（図４Ｂには図示しないが、同列の各データには放送日に加えて放送時間の情報も含まれている。）、放送曜日列１２１ｂ４、放送局列１２１ｂ５、番組名列１２１ｂ６、情報ジャンル列１２１ｂ７、コーナーヘッドライン列１２１ｂ８、番組カテゴリー列１２１ｂ９に表示されたデータはメタデータを形成するデータであり、作品ジャンル列１２１ｃ１、メーカー名列１２１ｃ２、第１の商品関連人物列１２１ｃ３、第２の商品関連人物列１２１ｃ４、第３の商品関連人物列１２１ｃ５、ＣＤ・ＤＶＤ規格Ｎｏ列１２１ｃ６、番組メモ列１２１ｃ７、コーナーサマリー列１２１ｃ８、ゲスト／番組内紹介者列１２１ｃ９は情報提供装置１の管理者の要求に基づいてメタデータに付加した拡張データである。拡張メタデータ１２１ａは、メタデータ生成会社サーバ４において自動的に作成されることが望ましいが、メタデータ生成会社の社員等が作成してもよい。
【００３３】
次に、本実施形態の動作について説明する。
【００３４】
＜情報提供装置の管理＞
情報提供装置１の管理者は、管理者端末（図示せず）を用いて情報提供装置１のデータの修正、削除等の各種メンテナンスを行なうことができる。図５は、本実施形態の情報提供装置１に接続された管理者端末（図示せず）の表示部（図示せず）に表示させる画面の画面遷移図である。同図に示す通り、管理者端末（図示せず）には、サイト管理トップ画面１１ａの後、マーチャント管理画面１１ａ１が表示され、更に、マーチャント追加画面１１ｂ２、マーチャント情報修正画面１１ｂ３が表示される。
【００３５】
これにより、管理者はマーチャント追加画面１１ｂ２、マーチャント情報修正画面１１ｂ３を介してマーチャント登録情報記憶部１２２のマーチャント登録情報１２２ａや、マーチャントサイト情報記憶部１２３のマーチャントサイト情報１２３ａにマーチャントやマーチャントサイトの情報の登録、更新等を行い、購入者クライアント端末３の利用者が登録されたマーチャントやマーチャントサイトから商品やサービスの提供を受けるシステムを構築できて、情報提供装置１の管理者が商品やサービスの品質を容易に維持管理することができる。
【００３６】
＜会員クライアント端末の画面遷移＞
図６は、本実施形態の情報提供装置１が会員クライアント端末２の表示部２２に表示させる画面の画面遷移図である。同図に示す通り、会員クライアント端末２には、サイトトップ画面２２ａの後、会員登録用の画面群２２ｂ１，２２ｂ２，２２ｂ３，２２ｂ４，２２ｂ５、サービス解説画面２２ｃ、登録済の会員用の会員トップ画面２２ｄ、トップ画面後のＩＤ・パスワード確認画面群２２ｅ１，２２ｅ２，２２ｅ３、会員トップ画面２２ｄ後の配信情報確認画面群２２ｆ１，２２ｆ２，２２ｆ３、会員トップ画面２２ｄ後の会員登録情報変更画面群２２ｇ１，２２ｇ２，２２ｇ３、成果報酬の払い出しの設定変更画面群２２ｈ１，２２ｈ２、ＦＡＱ画面２２ｉ、問合わせ画面群２２ｊ１，２２ｊ２，２２ｊ３が表示される。
【００３７】
＜会員登録＞
図７は、本実施形態の情報提供装置１における会員登録の手順を示すフローチャートである。以下同図に基づいて会員登録の手順を説明する。
【００３８】
まず、会員クライアント端末２の利用者は、操作部２１の操作により表示部２２にサイトトップ画面２２ａを表示させ、会員登録トップ画面２２ｂ１、会員規約画面２２ｂ２の後に登録フォーム画面２２ｂ３を表示させる。図８に、登録フォーム画面２２ｂ３のイメージ図を示す。同図に示す通り、登録フォーム画面２２ｂ３には会員登録する利用者の氏名、住所、メールアドレス等の情報を入力する契約者情報入力欄群２２ｂ３１、Ｗｅｂサイトやブログ等の名称、ＵＲＬ等の情報を入力するサイト情報入力欄群２２ｂ３２、成果報酬の振込先銀行名や口座番号等の情報を入力する成果報酬振り込み（払い出し）情報入力欄群２２ｂ３３が設けられている。会員クライアント端末２の利用者が登録フォーム画面２２ｂ３の各入力欄群２２ｂ３１，２２ｂ３２，２２ｂ３３に必要事項を入力し、確認ボタン２２ｂ３４をクリックすると、入力された情報は情報提供装置１に送信される（ステップＳ１）。
【００３９】
情報提供装置１の会員登録部１１１は、入力文字違反の有無、ＩＤの重複の有無、入力情報の是非を確認し、これらに違反、重複、間違いがあった場合（ステップＳ２の“ＮＧ”、ステップＳ３の“ＮＧ”、ステップＳ４の“ＮＧ”）、登録フォーム画面２２ｂ３にエラー表示をして利用者に再入力させる（ステップＳ１）。入力文字違反がなく（ステップＳ２の“ＯＫ”）、ＩＤ重複もなく（ステップＳ３の“ＯＫ”）、入力情報の内容が全て正しい（ステップＳ４の“Ｙｅｓ”）場合、会員登録部１１１は表示部２２に登録情報確認画面２２ｂ４を表示させて利用者の確認をとり、操作部２１によって登録情報確認画面２２ｂ４上のＯＫボタン（図示せず）がクリックされたら、会員登録部１１１は各入力欄群２２ｂ１，２２ｂ２，２２ｂ３に入力された内容を契約者情報記憶部１２５、契約者サイト情報記憶部１２６に記憶させて登録し（ステップＳ５）、アフィリエイトタグ（後述）を発行し（ステップＳ６）、表示部２２に登録完了画面２２ｂ５を表示させる。登録完了により、会員クライアント端末２の利用者は会員として扱われる。登録完了の後、会員の会員クライアント端末２の表示部２２には会員トップページ（後述）が表示されるようになる（ステップＳ７）。
【００４０】
＜ログイン＞
図９は、本実施形態の情報提供装置１におけるログインの手順を示すフローチャートである。以下同図に基づいて会員登録の手順を説明する。
【００４１】
会員登録を完了させた会員が会員トップ画面２２ｄを表示させる場合、まず会員クライアント端末２の表示部２２にはログイン画面２２ｅ１が表示される（ステップＳ１１）。図１０にログイン画面２２ｅ１のイメージ図を示す。同図に示す通り、ログイン画面２２ｅ１にはＩＤ入力欄２２ｅ１１とパスワード入力欄２２ｅ１２とが設けられている。会員が操作部２１によって両入力欄２２ｅ１１，２２ｅ１２に自己のＩＤとパスワードとを入力してログインボタン２２ｅ１３をクリックすると、情報提供装置１はこのＩＤとパスワードとの認証を行なう。ＩＤとパスワードとの組み合わせが適正でない場合（ステップＳ１２の“ＮＧ”）、情報提供装置１はログイン画面２２ｅ１上にエラー表示を出して会員に再度ＩＤとパスワードの入力操作を行わせる。ＩＤとパスワードとの組み合わせが適正である場合（ステップＳ１２の“ＯＫ”）、情報提供装置１はデータベース１２０から会員用の表示データとして予め設定されたデータを抽出して表示させる処理を行なう（ステップＳ１３）。そして、情報提供装置１は表示部２２に会員トップページ２２ｄを表示させる（ステップＳ１４）。
【００４２】
図１１に会員トップページのイメージ図を示す。同図に示す通り会員トップページ２２ｄは、メニューボタン部２２ｄ１、一般のＷｅｂサイトやブログを会員用Ｗｅｂサイトやブログに改変させるためのソースコードが複数表示されたアフィリエイトタグ表示部２２ｄ２、選択カテゴリー表示部２２ｄ３、更新ボタン２２ｄ４、ブログパーツ表示部２２ｄ５を有している。会員は、メニューボタン部２２ｄ１によって希望するサービスを選択し、アフィリエイトタグ表示部２２ｄ２に表示されたアフィリエイトタグをコピー＆ペーストしてブログ等に設定することにより、Ｗｅｂサイトやブログを作成することができる。なお、アフィリエイトタグ表示部２２ｄ２に表示されたアフィリエイトタグは、選択カテゴリー表示部２２ｄ３に表示された配信情報カテゴリーやＰＣ用配信サイズを変更することにより内容が変化し、変化させた内容を再度Ｗｅｂサイトやブログに設定することにより配信情報やサイズが変更される。
【００４３】
なお、ステップＳ１２に至るまでに会員がＩＤとパスワードを忘れてしまった場合、会員はログイン画面２２ｅ１に代えて表示部２２にＩＤ／パスワード忘れ用画面２２ｅ２を表示させ、同画面２２ｅ２上の確認用メール送信ボタン（図示せず）をクリックすると、情報提供装置１にＩＤ／パスワード確認用メールが送信され、表示部２２にはメール送信完了画面２２ｅ３が表示される。これにより、情報提供装置１から当該会員の会員クライアント端末２には正しいＩＤとパスワードを連絡するメールが返信されて、会員は自己のＩＤとパスワードを確認できる。
【００４４】
＜拡張メタデータの送受信＞
メタデータ生成会社サーバ４から情報提供装置１に対しては、図４Ａ，図４Ｂに示すような拡張メタデータ１２１ａが送信され、情報提供装置１は受信した拡張メタデータ１２１ａをメタデータ記憶部１２１に蓄積する。本実施形態においては、メタデータ生成会社はテレビ番組を放映するテレビ局が放送コンテンツを放映すると同時、又は放送コンテンツを放映した直後に拡張メタデータを生成し、メタデータ生成会社サーバ４は放映後数時間以内に情報提供装置１に送信するものとするが、メタデータ生成会社サーバ４は例えば１日に１回、数日に１回等、定期的に複数の拡張メタデータ１２１ａをまとめて情報提供装置１に送信してもよい。
【００４５】
＜マーチャントサイトの登録＞
本実施形態において、情報提供装置１の管理者と予め契約したマーチャントとの契約に基づき、情報提供装置１のマーチャント売上管理部１１４は契約が交わされたマーチャントの情報をマーチャント登録情報記憶部１２２に蓄積し、当該マーチャントが作成したマーチャントサイトの情報をマーチャントサイト情報記憶部１２３に蓄積させる。
【００４６】
＜Ｗｅｂサイト、ブログへの表示＞
会員がＷｅｂサイトやブログ等の通信コンテンツを作成し、作成したＷｅｂサイトやブログ等に設置されるコンテンツをアフィリエイトタグの設定情報に基づき、情報提供装置１からインターネット５上に開示すると、このＷｅｂサイトやブログにアクセスした購入者クライアント端末３の表示部３２には通信コンテンツとしてのＷｅｂサイトやブログ上に当該コンテンツが設置された状態で表示される。
【００４７】
図１２は購入者クライアント端末３の表示部３２に表示されたブログのイメージ図である。同図に示す通り、ブログ３２ａの一部には、アフィリエイトＵＲＬを埋め込まれた番組情報３２ｃを表示させるアフィリエイト表示欄３２ｂが設けられている。
【００４８】
＜商品・サービス情報の検索と情報配信＞
図１４は、本実施形態の情報提供装置１における商品・サービス情報の検索と情報配信の手順を示すフローチャートである。以下同図に基づいて商品・サービス情報の検索と情報配信の手順を説明する。
【００４９】
メタデータ生成会社において新しい拡張メタデータが生成され、この新しい拡張メタデータがメタデータ生成会社サーバ４から送信され、情報提供装置１がこの新しい拡張メタデータ、例えば拡張メタデータ１２１ａ３を取得すると、メタデータ抽出・検索部１１５はこの取得された拡張メタデータ１２１ａ３の予め設定された検索ワードを取得する。本実施形態においては、「作品名」「第１の商品関連人物」「ゲスト／番組内紹介者」という検索ワードが設定されているものとする。そして、メタデータ抽出・検索部１１５は取得された拡張メタデータ１２１ａ３の予め設定された列を検索し、当該検索ワードを抽出する（ステップＳ２１）。本実施形態では、「作品名」「第１の商品関連人物」「ゲスト／番組内紹介者」の列、即ち抽出された拡張メタデータ１２１ａ３の作品名列１２１ｂ２、第１の商品関連人物列１２１ｃ３、ゲスト／番組内紹介者列１２１ｃ９を検索・抽出する。この抽出された列１２１ｂ２、１２１ｃ３、１２１ｃ９がジャンル等特定情報を形成することになる。
【００５０】
そして、メタデータ抽出・検索部１１５は抽出されたジャンル等特定情報とマーチャントサイト情報記憶部１２３のマーチャントサイト情報１２３ａとを照合し、ジャンル等特定情報に適合するマーチャントサイト情報１２３ａ（のマーチャントサービス名）の有無を検索する（ステップＳ２２）。具体的には、まずステップＳ２１で抽出された拡張メタデータ１２１ａ３の作品名列１２１ｂ２に該当するマーチャントサイト情報１２３ａ（のマーチャントサービス名）の有無を検索し、存在しなければ（ステップＳ２３の「検索結果なし」）、次に拡張メタデータ１２１ａの第１の商品関連人物列１２１ｃ３に該当するマーチャントサイト情報１２３ａ（のマーチャントサービス名）の有無を検索し（ステップＳ２２）、存在しなければ（ステップＳ２３の「検索結果なし」）拡張メタデータ１２１ａのゲスト／番組内紹介者列１２１ｃ９に該当するマーチャントサイト情報１２３ａ（のマーチャントサービス名）の有無を検索する（ステップＳ２２）。
【００５１】
ステップＳ２２の検索において拡張メタデータ１２１ａ３の作品名列１２１ｂ２、第１の商品関連人物列１２１ｃ３、ゲスト／番組内紹介者列１２１ｃ９の何れかに該当するマーチャントサイト情報１２３ａ（のマーチャントサービス名）が抽出された場合（ステップＳ２３の「あり」）、リンクＵＲＬ検索部１１７は当該抽出されたマーチャントサイト情報１２３ａのリンクＵＲＬを検索してリンクを確定する（ステップＳ２４）。次に、メタデータ抽出・検索部１１５はステップＳ２１で抽出された拡張メタデータ１２１ａ３の予め設定された列から番組情報に表示させる文章を特定する（ステップＳ２５）。本実施形態では、放送日列１２１ｂ３、放送局列１２１ｂ５、番組メモ列１２１ｃ７の文章が特定されるものとする。
【００５２】
そして、メタデータ抽出・検索部１１５は取得された拡張メタデータ１２１ａ３をデータベース１２０のメタデータ記憶部１２１に格納する（ステップＳ２６）。これにより、取得された拡張メタデータ１２１ａ３は図４Ａ，図４Ｂに示す拡張メタデータ１２１ａのテーブル情報に含まれることになる。
【００５３】
そして、メタデータ抽出・検索部１１５は取得された拡張メタデータ１２１ａ３の商品カテゴリー、即ち商品カテゴリー列１２１ｂ１の情報を抽出する（ステップＳ２７）。そして、メタデータ抽出・検索部１１５はは契約者サイト情報記憶部１２６の契約者サイト情報１２６ａを探索し、「データ配信カテゴリー（図３Ｂ参照）」においてステップＳ２７で抽出した商品カテゴリーを配信対象としているブログやＷｅｂサイトを特定する（ステップＳ２８）。なお、このとき、メタデータ抽出・検索部１１５は契約者サイト情報１２６ａの配信情報１２９ａの検索ワード（つまり、Ｗｅｂサイトやブログの地の文章に含まれる、商品やサービスの名称等の関する言葉）に基づいて配信対象のＷｅｂサイトやブログを特定してもよい。
【００５４】
そして、アフィリエイトＵＲＬ発行部１１６は、ステップＳ２８で特定されたＷｅｂサイトやブログに表示される番組情報毎にアフィリエイトタグにアフィリエイトＵＲＬを発行する。このアフィリエイトＵＲＬはリンクＵＲＬ検索部１１７がステップＳ２４において検索したＵＲＬと会員パラメーターを付与したものである（ステップＳ２９）。そして、アフィリエイトタグ発行部１１３はリンクが確定し、会員パラメーターが付与された番組情報を、該当する会員のＷｅｂサイトやブログに配信し、このアフィリエイトＵＲＬを含む番組情報３２ｃを当該会員のＷｅｂサイトやブログ上に表示させる（ステップＳ３０）。なお、アフィリエイトＵＲＬを含む番組情報３２ｃを当該会員のＷｅｂサイトやブログ上に表示させるタグには、図１１のタグ表示部２２ｄに表示されたタグが用いられる。
【００５５】
図１２のイメージ図に示すブログ３２ａは、ステップＳ２１〜Ｓ３０の手順によりアフィリエイトＵＲＬを含む番組情報３２ｃが表示されたものであり、図１３はこのアフィリエイトＵＲＬを含む番組情報３２ｃの拡大したイメージ図である。図１３のイメージ図に示すように、アフィリエイトＵＲＬを含む番組情報３２ｃには、ステップＳ２１〜Ｓ３０の手順に基づいて、図４Ａ，図４Ｂに示す拡張メタデータ（例えば拡張メタデータ１２１ａ３）の放送日列１２１ｂ３の文章３２ｄ１、放送局列１２１ｂ５、の文章３２ｄ２、番組メモ列１２１ｃ７の文章３２ｄ３が複数表示されている。
【００５６】
なお、このアフィリエイトＵＲＬを含む番組情報３２ｃはステップＳ２１において情報提供装置１が新しい拡張メタデータ（例えば拡張メタデータ１２１ａ３）を取得し、当該ブログ３２ａが当該拡張メタデータ１２１ａ３による配信対象（ステップＳ２８）となっている場合に自動的に更新されていくことになる。即ち、更新監視部１１９においてメタデータ生成会社サーバ４から拡張メタデータ、例えば拡張メタデータ１２１ａ３を受信する毎に、ブログ３２ａに表示されたアフィリエイトＵＲＬを含む番組情報３２ｃは自動的に更新される。このように、情報提供装置１に監視部１１９を設け、メタデータ抽出・検索部１１５は、監視部１１９において拡張メタデータ１２１ａ３の受信が確認された際に照合を行うことにより、メタデータ生成会社で新たに生成されてメタデータ生成会社サーバ４から新たにインターネット５を介して配信された拡張メタデータ１２１ａ３を速やかにブログ３２ａのアフィリエイトＵＲＬを含む番組情報３２ｃとして出力させることが可能になる。
【００５７】
更に、本実施形態においては、監視部１１９のタイマ機能によって、予め設定された時間毎に、ブログ３２ａに表示されたアフィリエイトＵＲＬを含む番組情報３２ｃは自動的に更新される。即ち、メタデータ抽出・検索部１１５は、監視部１１９のタイマ機能において所定時間が経過したことが確認されたときに照合を行うことにより、ある程度まとまった件数の拡張メタデータ、例えば図４Ａ，図４Ｂに示す拡張メタデータ１２１ａ１，１２１ａ２，１２１ａ３・・・を定期的に更新することや、時間毎のネットワークの混雑状況等を加味して前述の拡張メタデータ１２１ａ１，１２１ａ２，１２１ａ３・・・を更新することが可能になる。
【００５８】
更に、本実施形態においては、監視部１１９がブログ３２ａの更新状況を監視し、更新されたブログ３２ａのジャンル、トピック等に適合する拡張メタデータ、例えば拡張メタデータ１２１ａ１をブログ３２ａのアフィリエイトＵＲＬを含む番組情報３２ｃとして出力させることもできる。
【００５９】
一方、ステップＳ２２の検索において拡張メタデータ１２１ａ３の作品名列１２１ｂ２、第１の商品関連人物列１２１ｃ３、ゲスト／番組内紹介者列１２１ｃ９の何れかに該当するマーチャントサイト情報１２３ａ（のマーチャントサービス名）がいずれも抽出されなかった場合（ステップＳ２３の「全てなし」）、リンクＵＲＬ検索部１１７は全てのマーチャントサイト情報１２３ａについてリンクＵＲＬの検索を行なわず（ステップＳ３１）、アフィリエイトＵＲＬを含む番組情報３２ｃによる新たな情報配信は行なわれない（ステップＳ３２）。
【００６０】
＜アフィリエイトＵＲＬを含む番組情報による商品やサービスの購入＞
ステップＳ２１〜Ｓ３０の手順によってブログ３２ａにアフィリエイトＵＲＬを含む番組情報３２ｃが表示され、購入者クライアント端末３の利用者が操作部３１によりアフィリエイトＵＲＬを含む番組情報３２ｃをクリックすると、リンク先のマーチャントサイト（図示せず）が表示され、利用者はこのマーチャントサイト（図示せず）において所望の商品やサービスを購入できる。このように、アフィリエイトタグ発行部１１３、アフィリエイトＵＲＬ発行部１１６、リンクＵＲＬ検索部１１７によって検索され生成されるアフィリエイトＵＲＬを含む番組情報３２ｃはマーチャントサイト（図示せず）に直接リンクされたことにより、購入者クライアント端末３の利用者は商品情報やサービス情報を提供する業者のサイトのフロントページ等を介することなく、ワンクリックでマーチャントサイト（図示せず）にアクセスして所望の商品やサービスを購入できる。
【００６１】
＜成果報酬の払い出し＞
アフィリエイトＵＲＬを含む番組情報３２ｃのリンク先のマーチャントサイト（図示せず）において商品やサービスが購入されると、このマーチャントサイト（図示せず）から情報提供装置１に商品又はサービスの販売情報が送信される。情報提供装置１のマーチャント売上管理部１１４はこの販売情報を当該マーチャントサイト（図示せず）を管理するマーチャントの売上情報としてマーチャント売上情報記憶部１２４のマーチャント売上情報１２４ａに蓄積させ、また、会員売上管理部１１２はこの売上情報をブログ３２ａを作成した会員の売上情報（売上ポイント）として会員ポイント情報記憶部１２８の会員ポイント情報１２８ａに蓄積させる。同様にアフィリエイトＵＲＬを含む番組情報３２ｃからマーチャントサイト（図示せず）において商品又はサービスが購入されると会員ポイント情報１２８ａにおける会員の売上ポイントが加算されてゆく。
【００６２】
そして、会員クライアント端末２を用いた会員の要望がある毎に、会員売上管理部１１２は会員ポイント情報１２８ａにおいて累積した各会員の売上ポイントを金銭に換算し、登録フォーム２２ｂ３において設定された金融機関の口座に売上ポイントが換算された金銭を成果報酬として払い出し（振り込み）が行なわれる。これにより、会員はブログ３２ａ（又は本実施形態において図示しないＷｅｂサイト）に表示させたアフィリエイトＵＲＬを含む番組情報３２ｃに基づいて成果報酬を受けることができる。なお、会員が払い出しの口座等を変更したい場合は、払い出し設定変更画面２２ｈ１（図６）において変更することができる。また、情報提供装置１の管理者は、払い出し確認画面１１ｃ（図５）において各会員に対する払い出しの実績を確認できる。また、情報提供装置１の管理者が独自に提供する売上ポイントは、金銭での払い出し（振り込み）以外に、提携ポイントサイト（図示せず）としての払い出しも可能となる。
【００６３】
以上示した通り、本実施形態の情報提供装置１においては、メタデータ生成会社サーバ４から取得しデータベース１２０に蓄積される拡張メタデータ１２１ａ３を、アフィリエイトタグ発行部１１３が発行したアフィリエイトＵＲＬを含む番組情報３２ｃにおいて、アフィリエイトＵＲＬ発行部１１６のリンク情報に基づいてブログ３２ａ（又は本実施形態において図示しないＷｅｂサイト）に出力させることにより、消費者に対する影響力が大きく、商品やサービスの売れ行きに多大な影響を与える、放送コンテンツに基づく商品情報やサービス情報をブログ３２ａ（又はＷｅｂサイト）のアフィリエイトＵＲＬを含む番組情報３２ｃとして出力し、購入者クライアント端末３に表示させることができる。また、メタデータ抽出・検索部１１５において、ブログ３２ａ（又はＷｅｂサイト）に含まれる、拡張メタデータ１２１ａ１の作品名列１２１ｂ２、第１の商品関連人物列１２１ｃ３、ゲスト／番組内紹介者列１２１ｃ９を取得し取得された各列１２１ｂ２，１２１ｃ３，１２１ｃ９の情報とブログ３２ａ（又はＷｅｂサイト）に係るマーチャントサイト情報記憶部１２３のマーチャントサイト情報１２３ａとを照合し、照合の結果、ジャンル、トピック等に適合する商品・サービス情報をブログ３２ａ（又はＷｅｂサイト）のアフィリエイトＵＲＬを含む番組情報３２ｃとして出力させることにより、ブログ３２ａ（又はＷｅｂサイト）のジャンルやトピックに適合するジャンルやトピックの商品・サービス情報をブログ３２ａ（又はＷｅｂサイト）の一部としてのアフィリエイトＵＲＬを含む番組情報３２ｃに出力し、購入者クライアント端末３に表示させることができる。
【００６４】
この実施の形態においてば、データベース１２０に蓄積される商品・サービス情報は、放送コンテンツをテキストデータ化したメタデータに商品、サービス等に関する特定の情報を付加して形成された拡張メタデータ１２１ａであることにより、商品情報やサービス情報を、放送コンテンツのテキストデータであるメタデータに基づいて取得し、ブログ３２ａ（又はＷｅｂサイト）の一部にアフィリエイトＵＲＬを含む番組情報３２ｃとして出力させることができる。
【００６５】
この実施の形態においては、通信コンテンツは、Ｗｅｂサイト又はブログ３２ａ上に設置されるコンテンツであることにより、会員クライアント端末２の利用者がサーバ等の通信環境を持たない通信端末の利用者であっても、当該利用者が発信する通信コンテンツにおいて本発明を適用できる。
【００６６】
なお、上記実施形態の情報提供装置１は、通信コンテンツをＷｅｂサイト又はブログとしたが、電子掲示板、メーリングリスト等、ネットワークを介して形成されるあらゆるクライアント・サーバシステムにおいて適用できる。
【００６７】
上記実施形態の情報提供装置１は、拡張メタデータ１２１ａに基づいてアフィリエイトＵＲＬを含む番組情報３２ｃを形成したが、メタデータに基づいてアフィリエイトＵＲＬを含む番組情報３２ｃを形成してもよい。また、メタデータや拡張メタデータ１２１ａはメタデータ生成会社サーバ４から送信されたものに限る必要はなく、例えば放送局が生成し放送局のサーバからインターネット５によって配信されたものや、情報提供装置１において生成したものであってもよい。
【００６８】
上記実施の形態は、放送コンテンツを地上波テレビの放送コンテンツとしたが、これに限定されず、ケーブルテレビ、衛星放送によるテレビ等を放送コンテンツとしてもよく、また、放送コンテンツに代えて、例えばマルチキャスト通信を用いたビデオオンデマンド等のコンテンツを用いてもよい。
【００６９】
上記実施形態は本発明の例示であり、本発明が上記実施の形態に限定されることを意味するものではないことは、いうまでもない。
【図面の簡単な説明】
【００７０】
【図１】本実施形態の情報提供システムのシステム構成図である。
【図２】本実施形態の情報提供装置の機能ブロック図である。
【図３Ａ】同上情報提供装置において、データベースに蓄積されたデータのデータ構造を示した図である。
【図３Ｂ】同上情報提供装置において、データベースに蓄積されたデータのデータ構造を示した図である。
【図４Ａ】同上情報提供装置において、メタデータ記憶部に蓄積される拡張メタデータのイメージ図である。
【図４Ｂ】同上情報提供装置において、メタデータ記憶部に蓄積される拡張メタデータのイメージ図である。
【図５】同上情報提供装置に接続された管理者端末の表示部に表示させる画面の画面遷移図である。
【図６】同上情報提供装置が会員クライアント端末の表示部に表示させる画面の画面遷移図である。
【図７】同上情報提供装置における会員登録の手順を示すフローチャートである。
【図８】同上情報提供装置における登録フォーム画面のイメージ図である。
【図９】同上情報提供装置におけるログインの手順を示すフローチャートである。
【図１０】同上情報提供装置におけるログイン画面のイメージ図である。
【図１１】同上情報提供装置における会員トップページのイメージ図である。
【図１２】同上情報提供装置における購入者クライアント端末の表示部に表示されたブログのイメージ図である。
【図１３】同上ブログに表示されるアフィリエイトタグを拡大したイメージ図である。
【図１４】本実施形態の情報提供装置における商品・サービス情報の検索と情報配信の手順を示すフローチャートである。
【符号の説明】
【００７１】
１Ａ・・・情報提供システム
１・・・情報提供装置
２、２１〜２ｎ・・・会員クライアント端末（通信端末）
３、３１〜３ｍ・・・購入者クライアント端末（通信端末）
３２ａ・・・ブログ（通信コンテンツ）
３２ｃ・・・アフィリエイトＵＲＬを含む番組情報（商品・サービス情報、コンテンツ）
１１３・・・アフィリエイトタグ発行部（情報出力手段）
１１５・・・メタデータ抽出・検索部（情報照合手段）
１１６・・・アフィリエイトＵＲＬ発行部（情報出力手段）
１１７・・・リンクＵＲＬ検索部（情報出力手段）
１１９・・・監視部（監視手段、タイマ）
１２０・・・データベース
１２１ａ，１２１ａ１，１２１ａ２，１２１ａ３，・・・１２１ａｋ・・・拡張メタデータ
【図１】
2009080606.tif 000003
【図２】
2009080606.tif 000004
【図３Ａ】
2009080606.tif 000005
【図３Ｂ】
2009080606.tif 000006
【図４Ａ】
2009080606.tif 000007
【図４Ｂ】
2009080606.tif 000008
【図５】
2009080606.tif 000009
【図６】
2009080606.tif 000010
【図７】
2009080606.tif 000011
【図８】
2009080606.tif 000012
【図９】
2009080606.tif 000013
【図１０】
2009080606.tif 000014
【図１１】
2009080606.tif 000015
【図１３】
2009080606.tif 000016
【図１４】
2009080606.tif 000017
【図１２】
2009080606.tif 000018